【手続補正書】
【提出日】平成20年1月25日(2008.1.25)
【手続補正１】
【補正対象書類名】明細書
【補正対象項目名】特許請求の範囲
【補正方法】変更
【補正の内容】
【特許請求の範囲】
【請求項１】
（ｉ）少なくとも５０％（OECD 301B）の生分解性、及び約−２５℃以下の流動点を有する、パラフィン性の生分解性炭化水素基剤、ここでメチル水素の百分率によって測定したときの分岐の程度（BI）、及び末端基または側鎖（枝）から除去された４以上の炭素である繰返しメチレン炭素の百分率（CH2>4）によって測定される分岐の近接性が、炭化水素基剤全体にわたり測定したとき、
(a) BI - 0.5(CH2>4)>15、及び
(b) BI + 0.85（CH2>4）<45を満たすものであり、並びに
（ｉｉ）洗浄剤及び抗酸化剤を含む基剤に可溶性の添加剤を含む液体潤滑剤組成物であって、 −１５℃において約３５００ｃＰ以下のＣＣＳ粘度及び１００℃において約５cSt以上の運動粘度（kinematic viscosity）を有する、前記の液体潤滑剤組成物。
【請求項２】
該パラフィン性生分解性炭化水素基剤の、−４０℃におけるＣＣＳ粘度によって測定した動的粘度（Dynamic viscosity:ＤＶ）と、１００℃にて測定した運動粘度（ＫＶ）との組合せが、
４０℃におけるＤＶ＜２９００×（１００℃におけるＫＶ）−７０００
を満たす、請求項１に記載の液体潤滑剤組成物。
【請求項３】
該パラフィン性生分解性炭化水素基剤の、−３０℃において測定したＭＲＶ粘度が約６００００ｃＰ以下であり、降伏応力が約３５ｃＰ以下である、請求項１に記載の液体潤滑剤組成物。
【請求項４】
該パラフィン性生分解性炭化水素基剤の、−３５℃において測定したＭＲＶ粘度が約６００００ｃＰ以下であり、降伏応力が約３５ｃＰ以下である、請求項１に記載の液体潤滑剤組成物。
【請求項５】
該パラフィン性生分解性炭化水素基剤の、−４０℃において測定したＭＲＶ粘度が約６００００ｃＰ以下であり、降伏応力が約３５ｃＰ以下である、請求項１に記載の液体潤滑剤組成物。
【請求項６】
該パラフィン性炭化水素成分が２６．１より大きいＢＩ、及び２２．２未満のCH2>4を有する、請求項１に記載の液体潤滑剤組成物。
【請求項７】
エステル、アルキル化芳香族化合物またはこれらの混合物を含む、請求項１に記載の液体潤滑剤組成物。
【請求項８】
該パラフィン性生分解性炭化水素基剤の流動点が約−３０℃以下である、請求項１〜７のいずれかに記載の液体潤滑剤組成物。
【請求項９】
該パラフィン性生分解性炭化水素基剤の粘度指数が約１６０以下である、請求項１〜７のいずれかに記載の液体潤滑剤組成物。
【請求項１０】
該潤滑組成物の流動点が約−２０℃未満である、請求項１〜７のいずれかに記載の液体潤滑剤組成物。
【請求項１１】
該潤滑組成物の流動点が約−３５〜−約６０℃である、請求項１０に記載の液体潤滑剤組成物。
【請求項１２】
ＳＡＥの"xW-y"粘度格付け（ｘは０、５、１０又は１５であり、ｙは１０、２０、３０または４０であり、そして（ｙ−ｘ）は２５以下である）に適合する、請求項１に記載の液体潤滑剤組成物。
【請求項１３】
ポリマー粘度調節剤をさらに含む、請求項１２に記載の液体潤滑剤組成物。
【請求項１４】
約−４０℃以下の流動点を有する、請求項１２に記載の液体潤滑剤組成物。
【請求項１５】
ＳＡＥ ０Ｗ低温粘度格付けに適合し、そして３２５０ｃＰ以下のＣＣＳ粘度（−３０℃）及び６００００以下のＭＲＶ粘度（−４０℃）を有する、請求項１２〜１４のいずれかに記載の液体潤滑剤組成物。
【請求項１６】
ＳＡＥ ０Ｗ−４０格付けに適合し、１００℃において１２．５〜１６．３cStの運動粘度を有し、そして、約０．０５〜３０重量％のポリマー粘度調節剤を含み、該パラフィン性生分解性炭化水素基剤が１００℃において約３．５〜約５．０cStの運動粘度を有する、請求項１５に記載の液体潤滑剤組成物。
【請求項１７】
ＳＡＥ ０Ｗ−３０格付けに適合し、１００℃において９．３〜１２．５cStの動的粘度を有し、そして、約０．０１〜約２５重量％のポリマー粘度調節剤を含み、該パラフィン性生分解性炭化水素基剤が１００℃において約３．５〜約５．０cStの運動粘度を有する、請求項１５に記載の液体潤滑剤組成物。
【請求項１８】
−３０℃において約３０００ｃＰ以下のＣＣＳ粘度を有する、請求項１７に記載の液体潤滑剤組成物。
【請求項１９】
ＳＡＥ ５Ｗ低温粘度格付けに適合し、−２５℃において３５００ｃＰ以下のＣＣＳ粘度及び−３５℃において６００００ｃＰ以下のＭＲＶ粘度を有する、請求項１２又は１３に記載の液体潤滑剤組成物。
【請求項２０】
ＳＡＥ １０Ｗ低温粘度格付けに適合し、−２０℃において３５００ｃＰ以下のＣＣＳ粘度及び−３０℃において６００００ｃＰ以下のＭＲＶ粘度を有する、請求項１２又は１３に記載の液体潤滑剤組成物。
【請求項２１】
ＳＡＥ １５Ｗ低温粘度格付けに適合し、−１５℃において３５００ｃＰ以下のＣＣＳ粘度及び−２５℃において６００００ｃＰ以下のＭＲＶ粘度を有する、請求項１２又は１３に記載の液体潤滑剤組成物。
【請求項２２】
ＳＡＥ １５Ｗ−５０粘度格付けに適合し、１００℃において１６．３〜２１．９cStの運動粘度を有し、そして、約０．１〜約２５重量％のポリマー粘度調節剤を含み、該パラフィン性生分解性炭化水素基剤が１００℃において約５．５〜約１４．０cStの動粘度を有する、請求項２１に記載の液体潤滑剤組成物。
【請求項２３】
約−３５℃以下の流動点を有する、請求項２２に記載の液体潤滑剤組成物。
【請求項２４】
−３０℃において約３３００ｃＰ以下のＣＣＳ粘度を有する、請求項２３に記載の液体潤滑剤組成物。
【請求項２５】
エスエルが、１００℃において約２〜約８cStの運動粘度を有する、ポリオールアルコールとモノカルボン酸のエステルであり、そしてアルキル化芳香族化合物が１００℃において約２〜約８cStの運動粘度を有する、炭素原子数約１０〜約２０の単一のアルキル置換基を有するアルキルナフタレンである、請求項７に記載の液体潤滑剤組成物。
【手続補正２】
【補正対象書類名】明細書
【補正対象項目名】０１２０
【補正方法】変更
【補正の内容】
【０１２０】
【表１５】
2003528169.tif 000001
特定の態様に関して詳細に説明して来たが、本技術の当業者には、本発明の範囲及び精神から逸脱せずに種々の変更及び修正がなし得ることが明らかである。
［本発明の態様］
［１］ （ｉ）少なくとも５０％（OECD 301B）の生分解性、及び約−２５℃以下の流動点を有する、パラフィン性の生分解性炭化水素基剤、ここでメチル水素の百分率によって測定したときの分岐の程度（BI）、及び末端基または側鎖（枝）から除去された４以上の炭素である繰返しメチレン炭素の百分率（CH2>4）によって測定される分岐の近接性が、炭化水素基剤全体にわたり測定したとき、(a) BI - 0.5(CH2>4)>15、及び(b) BI + 0.85（CH2>4）<45を満たすものであり、並びに（ｉｉ）洗浄剤及び抗酸化剤を含む基剤に可溶性の添加剤を含む液体潤滑剤組成物であって、 −１５℃において約３５００ｃＰ以下のＣＣＳ粘度及び１００℃において約５cSt以上の運動粘度（kinematic viscosity）を有する、前記の液体潤滑剤組成物。
［２］ 該パラフィン性生分解性炭化水素基剤の、−４０℃におけるＣＣＳ粘度によって測定した動的粘度（Dynamic viscosity:ＤＶ）と、１００℃にて測定した運動粘度（ＫＶ）との組合せが、 ４０℃におけるＤＶ＜２９００×（１００℃におけるＫＶ）−７０００を満たす、１に記載の液体潤滑剤組成物。
［３］ 該パラフィン性生分解性炭化水素基剤の、−３０℃において測定したＭＲＶ粘度が約６００００ｃＰ以下であり、降伏応力が約３５ｃＰ以下である、１に記載の液体潤滑剤組成物。
［４］ 該パラフィン性生分解性炭化水素基剤の、−４０℃において測定したＭＲＶ粘度が約６００００ｃＰ以下であり、降伏応力が約３５ｃＰ以下である、３に記載の液体潤滑剤組成物。
［５］ 該パラフィン性生分解性炭化水素基剤の粘度指数が約１６０以下である、１に記載の液体潤滑剤組成物。
［６］ 該パラフィン性生分解性炭化水素基剤の粘度指数が約１４０〜約１６０である、５に記載の液体潤滑剤組成物。
［７］ 該パラフィン性生分解性炭化水素基剤の流動点が約−３０℃以下である、１に記載の液体潤滑剤組成物。
［８］ 該パラフィン性生分解性炭化水素基剤の、−３５℃において測定したＭＲＶ粘度が約６００００ｃＰ以下であり、降伏応力が約３５ｃＰ以下である、７に記載の液体潤滑剤組成物。
［９］ 該パラフィン性生分解性炭化水素基剤の粘度指数が約１４０〜約１６０である、７に記載の液体潤滑剤組成物。
［１０］ 該パラフィン性生分解性炭化水素基剤の流動点が約−３０℃〜約−４５℃である、に記載の液体潤滑剤組成物。
［１１］ 該潤滑組成物の流動点が約−２０℃未満である、１に記載の液体潤滑剤組成物。
［１２］ 該潤滑組成物の流動点が約−３０℃未満である、１１に記載の液体潤滑剤組成物。
［１３］ 該潤滑組成物の流動点が約−３５〜−約６０℃である、１１に記載の液体潤滑剤組成物。
［１４］ ＳＡＥ０Ｗ低温粘度格付けに適合し、そして３２５０ｃＰ以下のＣＣＳ粘度（−３０℃）及び６００００以下のＭＲＶ粘度（−４０℃）を有する、１に記載の液体潤滑剤組成物。
［１５］ ポリマー粘度調節剤をさらに含む、１４に記載の液体潤滑剤組成物。
［１６］ ＳＡＥ０Ｗ−４０格付けに適合し、１００℃において１２．５〜１６．３cStの運動粘度を有し、そして、約０．０５〜３０重量％のポリマー粘度調節剤を含み、該パラフィン性生分解性炭化水素基剤が１００℃において約３．５〜約５．０cStの運動粘度を有する、１５に記載の液体潤滑剤組成物。
［１７］ 約−４０℃以下の流動点を有する、１６に記載の液体潤滑剤組成物。
［１８］ ＳＡＥ０Ｗ−３０格付けに適合し、１００℃において９．３〜１２．５cStの動的粘度を有し、そして、約０．０１〜約２５重量％のポリマー粘度調節剤を含み、該パラフィン性生分解性炭化水素基剤が１００℃において約３．５〜約５．０cStの運動粘度を有する、１５に記載の液体潤滑剤組成物。
［１９］ 約−４０℃以下の流動点を有する、１８に記載の液体潤滑剤組成物。
［２０］ −３０℃において約３０００ｃＰ以下のＣＣＳ粘度を有する、１９に記載の液体潤滑剤組成物。
［２１］ ＳＡＥ５Ｗ低温粘度格付けに適合し、−２５℃において３５００ｃＰ以下のＣＣＳ粘度及び−３５℃において６００００ｃＰ以下のＭＲＶ粘度を有する、１に記載の液体潤滑剤組成物。
［２２］ ポリマー粘度調節剤をさらに含む、２１に記載の液体潤滑剤組成物。
［２３］ ＳＡＥ１０Ｗ低温粘度格付けに適合し、−２０℃において３５００ｃＰ以下のＣＣＳ粘度及び−３０℃において６００００ｃＰ以下のＭＲＶ粘度を有する、１に記載の液体潤滑剤組成物。
［２４］ ポリマー粘度調節剤をさらに含む、２３に記載の液体潤滑剤組成物。
［２５］ ＳＡＥ１５Ｗ低温粘度格付けに適合し、−１５℃において３５００ｃＰ以下のＣＣＳ粘度及び−２５℃において６００００ｃＰ以下のＭＲＶ粘度を有する、１に記載の液体潤滑剤組成物。
［２６］ ポリマー粘度調節剤をさらに含む、２５に記載の液体潤滑剤組成物。
［２７］ ＳＡＥ１５Ｗ−５０粘度格付けに適合し、１００℃において１６．３〜２１．９cStの運動粘度を有し、そして、約０．１〜約２５重量％のポリマー粘度調節剤を含み、該パラフィン性生分解性炭化水素基剤が１００℃において約５．５〜約１４．０cStの動粘度を有する、２６に記載の液体潤滑剤組成物。
［２８］ 約−３５℃以下の流動点を有する、２７に記載の液体潤滑剤組成物。
［２９］ −３０℃において約３３００ｃＰ以下のＣＣＳ粘度を有する、２８に記載の液体潤滑剤組成物。
［３０］ ＳＡＥの"xW-y"粘度格付け（ｘは０、５、１０又は１５であり、ｙは１０、２０、３０または４０であり、そして（ｙ−ｘ）は２５以下である）に適合する、１に記載の液体潤滑剤組成物。
［３１］ 該パラフィン性炭化水素成分が２６．１より大きいＢＩ、及び２２．２未満のCH2>4を有する、１に記載の液体潤滑剤組成物。
［３２］ エステル、アルキル化芳香族化合物またはこれらの混合物を含む潤滑油基剤成分をさらに含む、１に記載の液体潤滑剤組成物。
［３３］ エスエルが、１００℃において約２〜約８cStの運動粘度を有する、ポリオールアルコールとモノカルボン酸のエステルであり、そしてアルキル化芳香族化合物が１００℃において約２〜約８cStの運動粘度を有する、炭素原子数約１０〜約２０の単一のアルキル置換基を有するアルキルナフタレンである、３２に記載の液体潤滑剤組成物。
［３４］ 該エステルまたはアルキル化芳香族化合物またはこれらの混合物を約５〜約２０重量％有する、３２に記載の液体潤滑剤組成物。
［３５］ 抗酸化剤が芳香族アミンまたはアルキル化フェノールまたはこれらの混合物である、１に記載の液体潤滑剤組成物。
［３６］ 洗浄剤がアルカリ金属スルホネート、アルカリ土類金属スルホネート、またはサリチル酸アルカリ塩またはサリチル酸アルカリ土類塩、または石炭酸アルカリ塩または石炭酸アルカリ土類塩である、１に記載の液体潤滑剤組成物。